(57)【要約】【課題】空間内を流れる一様空気流の流れの向きを変えることができる誘導気流発生装置を提供する。【解決手段】誘導気流発生装置４は、ガイド３内を流れる一様空気流の一部を吸引するとともに吸引した気流をガイド３の端部側に排出し、一様空気流の向きに垂直な方向から同一な方向までの間の角度を有する向きの気流を発生させる。これにより、誘導気流発生装置４は、気流近傍の一様空気流を誘導し、一様空気流の一部の流れの向きを変える。【選択図】図４
2014098519.tif 000002
【特許請求の範囲】
【請求項１】
空間内を流れる一様空気流の一部を吸引するとともに吸引した気流を前記空間の端部側に排出し、前記一様空気流の流れに垂直な方向から同一な方向までの間の角度を有する向きの気流を発生させることにより、当該気流近傍の一様空気流を誘導し、前記気流近傍の一様空気流の流れの向きを変える、ことを特徴とする誘導気流発生装置。
【請求項２】
前記排出する気流が一様空気流である、ことを特徴とする請求項１に記載の誘導気流発生装置。
【請求項３】
空間内を流れる一様空気流の一部を吸引するとともに吸引した気流を前記空間外に排出し、前記一様空気流の流れに垂直な方向から同一な方向までの間の角度を有する向きの気流を発生させることにより、当該気流近傍の一様空気流を誘導し、前記気流近傍の一様空気流の流れの向きを変える、ことを特徴とする誘導気流発生装置。
【発明の詳細な説明】
【技術分野】
【０００１】
本発明は、誘導気流発生装置に関する。
【背景技術】
【０００２】
従来、局所的な作業空間の空気清浄度を向上させる装置としてクリーンベンチがしばしば用いられている。一般的なクリーンベンチは、作業台の手前の面だけが作業用の開口になっており、それ以外の面では清浄度を保つために囲いとなっている。このようなクリーンベンチでは、その囲い内に清浄空気吹き出し口が配置されており、作業者は手前の作業用の開口から手を入れて作業を行っている。
【０００３】
しかし、クリーンベンチの作業用の開口が狭いことから、作業者が精密機械の組立作業等を行う場合には、その作業性に問題がある。また、製造ラインのように、製品や製造部品の移動が伴う場合には、ライン全体をクリーンルーム内に入れる等の措置がとられてきたが、これでは設備が大規模になってしまうという問題がある。
【０００４】
このため、清浄化された空気の一様流を吹き出すことのできる一対のプッシュフードの空気流開口面を対向させて配置し、それぞれの空気流開口面からの空気流を衝突させることにより、一対のプッシュフード間の領域を他の領域に比較して高い清浄度を有する清浄空気空間とすることができる局所空気清浄化装置が提案されている（特許文献１）。
【先行技術文献】
【特許文献】
【０００５】
【特許文献１】特開２００８−２７５２６６号公報
【発明の概要】
【発明が解決しようとする課題】
【０００６】
ところで、清浄空気空間内に配置される製造ラインの中には、製造ライン中の装置を作動させることにより粉塵が発生してしまうものがある。このような装置から発生した粉塵は、気流に乗って下流側に流れる。この結果、装置の下流側の清浄空気空間が汚染されてしまう。かかる場合、発生した粉塵を含む一様空気流の流れの向きを変えることができれば、装置の下流側の清浄度を高く保ちたい空間内が汚染されてしまうことを防止することができる。このため、空間内を流れる一様空気流の流れの向きを変えることができる技術が求められている。
【０００７】
本発明は、上記問題に鑑みてなされたものであり、空間内を流れる一様空気流の流れの向きを変えることができる誘導気流発生装置を提供することを目的とする。
【課題を解決するための手段】
【０００８】
上記目的を達成するため、本発明の第１の観点に係る誘導気流発生装置は、
空間内を流れる一様空気流の一部を吸引するとともに吸引した気流を前記空間の端部側に排出し、前記一様空気流の流れに垂直な方向から同一な方向までの間の角度を有する向きの気流を発生させることにより、当該気流近傍の一様空気流を誘導し、前記気流近傍の一様空気流の流れの向きを変える、ことを特徴とする。
【０００９】
前記排出する気流が一様空気流であることが好ましい。
【００１０】
本発明の第２の観点に係る誘導気流発生装置は、
空間内を流れる一様空気流の一部を吸引するとともに吸引した気流を前記空間外に排出し、前記一様空気流の流れに垂直な方向から同一な方向までの間の角度を有する向きの気流を発生させることにより、当該気流近傍の一様空気流を誘導し、前記気流近傍の一様空気流の流れの向きを変える、ことを特徴とする。
【発明の効果】
【００１１】
本発明によれば、空間内を流れる一様空気流の流れの向きを変えることができる。
【図面の簡単な説明】
【００１２】
【図１】本発明の実施の形態に係る誘導気流発生装置を用いた局所空気清浄化装置の一例を示す図である。
【図２】プッシュフードの構造を示す図である。
【図３】本発明の実施の形態に係る誘導気流発生装置の一例を示す図である。
【図４】局所空気清浄化装置内の空気の流れを示す図である。
【図５】誘導気流発生装置の別例を示す図である。
【図６】誘導気流発生装置の別例を示す図である。
【図７】実施例１の測定位置を示す平面図である。
【図８】実施例１の測定位置を示す側面図である。
【図９】実施例２の局所空気清浄化装置の要部を示す図である。
【図１０】実施例２の誘導気流発生装置を示す図である。
【図１１】実施例３の局所空気清浄化装置の要部を示す図である。
【図１２】実施例３の誘導気流発生装置を示す図である。
【発明を実施するための形態】
【００１３】
以下、本発明の誘導気流発生装置について、図面を参照して説明する。本実施の形態では、本発明の空間内を流れる一様空気流の流れの向きを変えることができる誘導気流発生装置を、局所空気清浄化装置に用いた場合を例に説明する。図１は、本発明の誘導気流発生装置を局所空気清浄化装置に用いた一例を示す図である。まず、局所空気清浄化装置について簡単に説明する。
【００１４】
図１に示すように、局所空気清浄化装置１は、壁、衝立などの空気衝突面Ｗに対向するように配置されたプッシュフード２と、プッシュフード２に設けられたガイド３と、を備えている。そして、ガイド３内に誘導気流発生装置４が収容されている。なお、本実施の形態では、ガイド３内にテーブル５が配置され、このテーブル５上に粉塵を発生する粉塵発生源としての装置６が設置されている場合を例に本実施の形態を説明する。
【００１５】
プッシュフード２は、清浄化された一様空気流を吹き出す機構を有するものであればよく、従来からプッシュプル型換気装置に用いられているプッシュフードを基本的構造とし清浄用フィルタを内設した構造を採用することができる。
【００１６】
ここでいう一様空気流および一様流は、林太郎著「工場換気」（空気調和・衛生工学会  １９８２年発行）に記載の一様流と同義であり、一様に連続し、大きな渦部の生じない微風速の流れをいう。ただし、本発明は、空気の流速および速度分布を厳密に規定した空気吹き出し装置を提供しようとするものではない。一様空気流は、例えば、障害物がない状態での速度分布のバラツキが、その平均値に対して±５０％以内、さらには±３０％以内であるものが好ましい。
【００１７】
本実施の形態のプッシュフード２は、連結具により、それぞれ９個（縦３個×横３個）のプッシュフードがその空気流開口面が同一方向であって、プッシュフードの短辺どうし、長辺どうしがそれぞれ隣り合うように配列して連結されている。図２にプッシュフード２ａの構造を示す。なお、連結された他のプッシュフード２の構造も基本的に同一である。
【００１８】
図２に示すように、プッシュフード２ａのハウジング２１は、略直方体状に形成され、その一面に空気流吸込面２２が形成されている。空気流吸込面２２は、例えば、ハウジング２１の一面全体に複数の孔が形成された面からなる。空気流吸込面２２では、この孔からプッシュフード２ａの外部の周辺空気である外気や室内空気を取り入れる。また、ハウジング２１の空気流吸込面２２と対向する他面には、空気吹出面（空気流開口面）２３が形成されている。空気流開口面２３は、例えば、ハウジング２１の一面全体に複数の孔が形成された面からなる。空気流開口面２３では、この孔からプッシュフード２ａ内で形成された清浄空気の一様空気流がプッシュフード２ａの外部に吹き出される。プッシュフード２ａの空気流開口面２３の大きさは、特に限定されるものではないが、例えば、１０５０ｍｍ×８５０ｍｍである。
【００１９】
プッシュフード２は、その空気流開口面２３が壁などの空気衝突面Ｗに対向するように配置されている。ここで、空気流開口面２３が空気衝突面Ｗに対向するとは、プッシュフード２の空気流開口面２３と空気衝突面Ｗとが正対した状態に限定されるものではなく、例えば、プッシュフード２の空気流開口面２３と空気衝突面Ｗとが若干傾いた状態のものも含まれる。プッシュフード２の空気流開口面２３と空気衝突面Ｗとの傾きは、空気流開口面２３と空気衝突面Ｗとが成す角度が３０°程度の範囲内であることが好ましい。
【００２０】
ハウジング２１内には、送風機構２４と、高性能フィルタ２５と、整流機構２６とが配置されている。
送風機構２４は、ハウジング２１内の空気流吸込面２２側に配置されている。送風機構２４は、空気吹き出し用のファン等から構成されている。送風機構２４は、プッシュフード２ａの周辺空気である外気や室内空気を空気流吸込面２２から取り入れるとともに、空気流開口面２３から空気流を吹き出す。また、送風機構２４は、ファンの吹き出し力を制御することにより、空気流開口面２３から吹き出される空気流の流速を可変できるように形成されている。
【００２１】
高性能フィルタ２５は、送風機構２４と整流機構２６との間に配置されている。高性能フィルタ２５は、取り入れた周辺空気をろ過するためのＨＥＰＡフィルタ（High Efficiency Particulate Air Filter）やＵＬＰＡフィルタ（Ultra Low Penetration Air Filter）等の清浄化レベルに応じた高性能フィルタから構成されている。高性能フィルタ２５は、送風機構２４によって取り入れた周辺空気を所望の洗浄化レベルの清浄空気に清浄化する。高性能フィルタ２５により所望の洗浄化レベルに清浄された清浄空気は、送風機構２４により整流機構２６に送られる。
【００２２】
整流機構２６は、高性能フィルタ２５と空気流開口面２３との間に配置されている。整流機構２６は、図示しない空気抵抗体を備えており、パンチングプレートや網部材などから形成されている。整流機構２６は、高性能フィルタ２５から送風され、空気流開口面２３全体に対して通気量に偏りのある送風空気を、空気流開口面２３全体に対して通気量に偏りのない均一化された空気流（一様空気流）に補正（整流）する。この整流された一様空気流が、送風機構２４により、空気流開口面２３全体からプッシュフード２の外部に吹き出される。
【００２３】
また、プッシュフード２ａは、図２に示すように、ハウジング２１内の空気流吸込面２２と送風機構２４との間に、プレフィルタ２７が配置されていることが好ましい。プレフィルタ２７としては、例えば、中性能フィルタが挙げられる。空気流吸込面２２と送風機構２４との間にプレフィルタ２７を配置することにより、空気流吸込面２２を介してハウジング２１内部に吸い込まれた周辺空気に含まれる比較的大きな粉塵を取り除くことができ、目詰まり等が生じやすい高性能フィルタ２５の性能を長期間維持することができる。
【００２４】
このように構成されたプッシュフード２ａでは、送風機構２４によって取り入れた周辺空気がプレフィルタ２７、及び、高性能フィルタ２５によって所望の洗浄化レベルの清浄空気に清浄化される。そして、清浄化された清浄空気は整流機構２６によって一様空気流に整流される。このように清浄化された一様空気流は空気流開口面２３全体からプッシュフード２ａの空気流開口面２３にほぼ垂直方向に外部へ向かって吹き出される。
【００２５】
ガイド３は、その一端が、プッシュフード２の空気流開口面２３側に設けられている。また、ガイド３は、空気流開口面２３に設けられ、そこから、空気流開口面２３から吹き出される一様空気流の下流側に向かって延び、空気流開口面２３の外周輪郭部を覆うように形成されている。例えば、空気流開口面２３の形状が四角形の場合、その断面形状がコの字状となるように延伸形成されている。このコの字状の開放された側と床面とにより、一様空気流の吹き出し方向に向かって外周輪郭部を含み、そこから吹き出される一様空気流の流れと並行に気流の周囲をトンネル状に囲う状態となる。ガイド３は、その他端（開口面３１）との間に開放した領域を有するように形成されている。
【００２６】
ガイド３は、その開口面３１から吹き出される空気流が、空気流開口面２３からの清浄化された一様空気流の状態を維持可能なものであれば、任意の材料により形成することが可能である。また、ガイド３は、空気流開口面２３からの清浄化された一様空気流の状態を維持可能であれば、一様空気流の周囲全体を完全に覆っていなくてもよく、例えば、その一部に穴が開いていたり、スリットが形成されていてもよい。
【００２７】
ガイド３は、その開口面３１が空気衝突面Ｗに対向するように配置されている。開口面３１が空気衝突面Ｗに対向するように配置されることで、開口面３１から吹き出された空気流が空気衝突面Ｗに衝突する。例えば、開口面３１を壁に正対させた場合、一様空気流は、空気衝突面Ｗに衝突すると、ほぼ垂直に流れの向きを変える挙動を示す。このように流れることにより、空気衝突面Ｗに衝突した空気流はぶつかった面の外側へと流出する。この結果、気流がぶつかった面から開口面３１端部までの領域において清浄空間が得られる。
【００２８】
開口面３１の形状は、空気流開口面２３とほぼ同じ形状となるように形成されていることが好ましい。開口面３１と空気流開口面２３とをほぼ同じ形状とすることにより、開口面３１において空気流開口面２３から吹き出された一様空気流の状態を維持しやすいためである。
【００２９】
このように構成されたガイド３は、図１に示すように、プッシュフード２の空気流開口面２３側から、一様空気流の下流側に向かって設けられ（取り付けられ）、その下流側端部に設けられた開口面３１が空気衝突面Ｗに対向するように配置される。これにより、開口面３と空気衝突面Ｗとの間に開放された領域が形成される。
【００３０】
誘導気流発生装置４は、ガイド３内を流れる一様空気流の一部を吸引するとともに吸引した気流をガイド３の端部側、すなわち、ガイド３により形成される空間内を流れる一様空気流の流れに垂直方向な面の周縁部側（上下左右端側）に排出する。なお、本実施の形態では、誘導気流発生装置４は、ガイド３の内部であって、粉塵を発生する装置６の下流側に配置されている。図３に誘導気流発生装置４の構造の一例を示す。図３に示すように、誘導気流発生装置４は、導入部４１と排出部４２とを有するフレーム４３と、フレーム４３内に収容されたファン４４と、ファン４４から排出された空気を排出部４２に導く導風板４５と、を備えている。
【００３１】
導入部４１には、複数の貫通孔が形成され、フレーム４３内に収容されたファン４４の作動により、導入部４１の外部の空気が導入部４１を介してフレーム４３内に吸引される。導入部４１は、装置６から発生した粉塵を含む一様空気流の一部がフレーム４３内に吸引できるように、装置６の下流側の下方に配置されている。これにより、装置６の下流側に陰圧エリア４６が発生し、装置６から発生した粉塵を含む一様空気流の一部が陰圧エリア４６、導入部４１を介してフレーム４３内に吸引される。
【００３２】
排出部４２には、複数の貫通孔が形成され、フレーム４３内に収容されたファン４４の作動により、ファン４４の下流側の空気を、ガイド３の端部側に排出する。排出部４２の貫通孔は、フレーム４３外に排出された空気がガイド３内を流れる一様空気流に沿って流れるように、一様空気流の下流側に向かって傾斜していることが好ましい。また、排出部４２は、一様空気流として排出することが好ましい。一様空気流として排出することにより、誘導の効果が高まるためである。本例では、排出部４２は、斜めハニカム構造に形成されている。
【００３３】
ファン４４は、空気吹き出し用のファン等から構成されている。ファン４４は、フレーム４３内の導入部４１側に配置されている。ファン４４は、導入部４１の外部の空気を取り入れ、装置６の下流側に陰圧エリア４６を形成する。また、ファン４４は、導入部４１から取り入れた空気を排出部４２側に吹き出す。なお、ファン４４は、その吹き出し力を制御することにより、導入部４１から導入し、排出部４２から廃棄する空気の量を可変できるように形成されている。
【００３４】
導風板４５は、ファン４４の下流側に配置されている。導風板４５は、例えば、板状に形成され、ファン４４から排出される空気の排出方向を規制し、ファン４４から排出された空気を排出部４２に導く。
【００３５】
図４は、このように構成された誘導気流発生装置４が設けられた場合の局所空気清浄化装置１内の空気の流れを示す図である。なお、本実施の形態では、ガイド３内のテーブル５上に粉塵を発生する装置６が設置されている。
【００３６】
図４に示すように、誘導気流発生装置４のファン４４を駆動させることにより、導入部４１の外部の空気がフレーム４３内に取り入れられる。このため、装置６の下流側に陰圧エリア４６が形成される。装置６から発生した粉塵Ｐを含む一様空気流の一部は、その下流側に形成された陰圧エリア４６に導かれる。陰圧エリア４６に導かれた粉塵Ｐを含む一様空気流は、導入部４１の貫通孔を介して誘導気流発生装置４のフレーム４３内に収容され、排出部４２の貫通孔を介してフレーム４３外に排出される。フレーム４３外に排出された粉塵Ｐを含む空気は、局所空気清浄化装置１の底部付近を流れる。
【００３７】
さらに、一様空気流の向きに鉛直（垂直）な方向から同一な方向までの間の角度を有する向きの気流が発生する。この気流の発生により、この気流近傍の一様空気流が誘導され、一様空気流の流れの向きを底部側に変える。このため、誘導気流発生装置４による誘導気流により、一様空気流の流れの向きを変えることができる。この結果、装置６の下流側の清浄度を高く保ちたい空間内が汚染されることを防止することができる。
【００３８】
ここで、排出部４２の貫通孔が空気流の下流側に向かって傾斜しているので、排出部４２から排出された粉塵Ｐを含む空気は、ガイド３内を流れる一様空気流と接触して乱流を発生することなく、局所空気清浄化装置１の底部付近を流れ、ガイド３外に排出される。このように、局所空気清浄化装置１の内部に粉塵Ｐが発生してしまう装置６が配置されても、粉塵Ｐを含む空気は、局所空気清浄化装置１の底部付近に乱流を発生することなく流れるので、装置６の下流側の清浄度を高く保ちたい空間内が汚染されることを防止することができる。
【００３９】
以上説明したように、本実施の形態の誘導気流発生装置４によれば、一様空気流の一部の流れの向きを底部側に変えることができる。このため、局所空気清浄化装置１の内部に粉塵Ｐが発生してしまう装置６が配置されても、装置６の下流側の清浄度を高く保ちたい空間内が汚染されることを防止することができる。
【００４０】
なお、本発明は、上記の実施の形態に限らず、種々の変形、応用が可能である。以下、本発明に適用可能な他の実施の形態について説明する。
【００４１】
上記実施の形態では、フレーム４３の下部に排出部４２が設けられた誘導気流発生装置４を例に本発明を説明したが、誘導気流発生装置４の排出部４２は、排出部４２から排出された空気が局所空気清浄化装置１（ガイド３）の端部側に排出できるものであればよく、例えば、図５に示すように、フレーム４３の下部後方に設けられていてもよい。また、誘導気流発生装置４は、排出部４２から排出された空気が局所空気清浄化装置１（ガイド３）の上端または左右の端部側に排出できるものであってもよい。これらの場合にも、一様空気流の一部の流れの向きを変えることができ、装置６の下流側の清浄度を高く保ちたい空間内が汚染されることを防止することができる。
【００４２】
上記実施の形態では、局所空気清浄化装置１に１つの誘導気流発生装置４が設けられている場合を例に本発明を説明したが、局所空気清浄化装置１に設けられる誘導気流発生装置４の数は複数であってもよい。例えば、図６に示すように、局所空気清浄化装置１に２つの誘導気流発生装置４ａ、４ｂを設けてもよい。
【００４３】
上記実施の形態では、ガイド３内に配置されたテーブル５上に粉塵を発生する装置６が設置されている場合を例に本発明を説明したが、例えば、空気流開口面２３の下流側の床上に粉塵を発生する装置６が設置されている場合にも本発明を適用することは可能であり、ガイド３内に配置されたテーブル５上に装置６が設置されている場合に限定されるものではない。
【００４４】
上記実施の形態では、ガイド３内に粉塵を発生する粉塵発生源としての装置６が設置されている場合を例に本発明を説明したが、粉塵発生源を有していない局所空気清浄化装置１に適用することが可能である。
【００４５】
上記実施の形態では、誘導気流発生装置４（排出部４２）から排出された空気を局所空気清浄化装置１（ガイド３）の端部側に排出する場合を例に本発明を説明したが、例えば、誘導気流発生装置の排出部４２をガイド３の外部に配置されるようにして、誘導気流発生装置４により吸引された空気を局所空気清浄化装置１（ガイド３）の外部に放出してもよい。
【００４６】
上記実施の形態では、誘導気流発生装置４をプッシュフード２と空気衝突面Ｗとが対向するように配置された局所空気清浄化装置１に用いた場合を例に本発明を説明したが、空間内に一様空気流が流れていればよく、例えば、空気衝突面Ｗを有していなくともよい。また、ガイド３が設けられていなくてもよい。
【００４７】
また、局所空気清浄化装置は、プッシュフード２と空気衝突面Ｗとが対向するように配置された局所空気清浄化装置１に限定されるものではなく、例えば、一対のプッシュフード２が対向するように配置された局所空気清浄化装置１を用いてもよい。また、一対のプッシュフード２が対向するように配置され、各プッシュフード２にガイド３がそれぞれ設けられた局所空気清浄化装置１を用いてもよい。さらに、一対のプッシュフード２が対向するように配置され、各プッシュフード２にガイド３が設けられていない局所空気清浄化装置１を用いてもよい。また、プッシュフード２と空気衝突面Ｗとが対向するように配置され、プッシュフード２にガイド３が設けられていない局所空気清浄化装置１を用いてもよい。さらに、プッシュフードとプルフードが対向するように配置され、プッシュフード、プルフードにガイドが設けられていない局所空気清浄化装置を用いてもよい。
【００４８】
また、本発明は、誘導気流発生装置４を備える局所空気清浄化装置としても好適である。例えば、
清浄化された一様空気流を吹き出す空気流開口面を有するプッシュフードと、
前記プッシュフードの空気流開口面側に設けられ、前記空気流開口面側から前記一様空気流の下流側に向かって延び、下流側端部に開口面を形成するガイドと、を備え、
前記プッシュフードは、前記空気流開口面から吹き出される清浄化された一様空気流が、前記ガイド内を通過した後、前記ガイドの前記開口面の下流側において空気衝突面に衝突するように配置され、
前記ガイドの前記開口面を前記空気衝突面から離間して対向させることにより、前記ガイドの前記開口面と前記空気衝突面との間に開放した領域を形成し、
前記空気流開口面から吹き出される清浄化された一様空気流が前記空気衝突面で衝突して前記開放した領域外に流出することにより、前記ガイド内及び前記開放した領域内を他の領域に比較して高い清浄度とし、
前記ガイド内に、誘導気流発生装置が設けられている、ことを特徴とする、局所空気清浄化装置。
【００４９】
清浄化された一様空気流を吹き出す空気流開口面を有するプッシュフードと、
前記プッシュフードの空気流開口面側に設けられ、前記空気流開口面側から前記一様空気流の下流側に向かって延び、下流側端部に開口面を形成するガイドと、を備え、
前記プッシュフードは、一対のプッシュフードであり、それぞれの前記空気流開口面が対向するように配置され、
前記ガイドは、前記一対のプッシュフードの一方のプッシュフードの空気流開口面側に設けられ、
前記ガイドの前記開口面を、前記ガイドが設けられていないプッシュフードの空気流開口面と離間して対向させることにより、前記ガイドの開口面と前記ガイドが設けられていないプッシュフードの空気流開口面との間に開放した領域を形成し、
前記それぞれの空気流開口面から吹き出される清浄化された一様空気流が前記開放した領域内で衝突して前記開放した領域外に流出することにより、前記ガイド内及び前記開放した領域内を他の領域に比較して高い清浄度とし、
前記ガイド内に、誘導気流発生装置が設けられている、ことを特徴とする、局所空気清浄化装置。
【００５０】
清浄化された一様空気流を吹き出す空気流開口面を有するプッシュフードと、
前記プッシュフードの空気流開口面側に設けられ、前記空気流開口面側から前記一様空気流の下流側に向かって延び、下流側端部に開口面を形成するガイドと、を備え、
前記プッシュフードは、一対のプッシュフードであり、それぞれの前記空気流開口面が対向するように配置され、
前記ガイドは、前記一対のプッシュフードの各空気流開口面側に設けられた一対のガイドであり、
前記一対のガイドの前記開口面を互いに離間して対向させることにより、前記各ガイドの前記開口面間に開放した領域を形成し、
前記それぞれの空気流開口面から吹き出される清浄化された一様空気流が前記開放した領域内で衝突して前記開放した領域外に流出することにより、前記ガイド内及び前記開放した領域内を他の領域に比較して高い清浄度とし、
前記ガイド内に、誘導気流発生装置が設けられている、ことを特徴とする、局所空気清浄化装置。
【００５１】
清浄化された一様空気流を吹き出す空気流開口面を有するプッシュフードを備え、
前記プッシュフードは、一対のプッシュフードであり、それぞれの前記空気流開口面を互いに離間して対向するように配置し、
前記それぞれの空気流開口面から吹き出される清浄化された一様空気流が前記空気流開口面が対向した領域内で衝突して前記対向した領域外に流出することにより、前記対向した領域内を他の領域に比較して高い清浄度とし、
前記空気流開口面の下流側に、誘導気流発生装置が設けられている、ことを特徴とする、局所空気清浄化装置。
【００５２】
清浄化された一様空気流を吹き出す空気流開口面を有するプッシュフードを備え、
前記プッシュフードは、前記空気流開口面から吹き出される清浄化された一様空気流が、前記空気流開口面の下流側において空気衝突面に衝突するように配置され、
前記プッシュフードの前記空気流開口面を前記空気衝突面から離間して対向させることにより、前記プッシュフードの前記空気流開口面と前記空気衝突面との間に開放した領域を形成し、
前記空気流開口面から吹き出される清浄化された一様空気流が前記空気衝突面で衝突して前記開放した領域外に流出することにより、前記開放した領域内を他の領域に比較して高い清浄度とし、
前記空気流開口面の下流側に、誘導気流発生装置が設けられている、ことを特徴とする、局所空気清浄化装置。
【００５３】
清浄化された一様空気流を吹き出す空気流開口面を有するプッシュフードと、
前記プッシュフードから排出された一様空気流を吸引する吸引開口面を有するプルフードと、を備え、
前記プッシュフードの前記空気流開口面と、前記プルフードの前記吸引開口面とが離間して対向するように配置され、
前記プッシュフードの前記空気流開口面から吹き出された一様空気流が、前記プルフードの前記吸引開口面に吸い込まれるようにすることにより、前記プッシュフードの前記空気流開口面と前記プルフードの吸引開口面とが対向した領域内を他の領域に比較して高い清浄度とし、
前記空気流開口面の下流側に、誘導気流発生装置が設けられている、ことを特徴とする、局所空気清浄化装置。
【実施例】
【００５４】
以下、本発明の具体的な実施例を示し、本発明をさらに詳細に説明する。
【００５５】
（実施例１）
図７及び図８に示す誘導気流発生装置４を有する局所空気清浄化装置１を用い、３つの測定高さの９つの測定点での清浄度を測定した。なお、局所空気清浄化装置１のプッシュフードは、横１０５０ｍｍ、縦８５０ｍｍのプッシュフードをその空気流開口面が同一方向であって、プッシュフードの短辺どうし、長辺どうしがそれぞれ隣り合うように配列して連結（縦３個×横３個の９個）したものであり、その開口面３１の大きさは、幅３１５０ｍｍ、高さ２５５０ｍｍである。局所空気清浄化装置内では、清浄化された一様空気流０．３ｍ／ｓの速度で流れ、清浄空間が形成されている。清浄空間内の発じん位置から６×１０６個／ｍ３の大気塵を発生させ、その下流側に設けられた誘導気流発生装置４の上部から気流を吸引するとともに清浄空間内の下部から排出する。清浄度の測定は、ＰＭＳ社製のＬＡＳＡＩＲ−ＩＩを用い、各測定点における粒子径０．３μｍの粉塵数（個／ｍ３）を測定した。測定結果を表１に示す。なお、測定は２回行った。
【００５６】
【表１】
2014098519.tif 000003
【００５７】
表１に示すように、局所空気清浄化装置１に誘導気流発生装置４を設けることにより、発じん位置の下流側の清浄度を高く保ちたい空間内が汚染されることが防止できることを確認した。なお、床から４００ｍｍの位置では一部の粉塵が残ったが、発じん位置と同じ高さの床から９００ｍｍの位置では、粉塵がカウントされない結果となり、発じん位置の下流側の清浄度を高く保ちたい空間内が汚染されることが防止できることを確認した。
【００５８】
（実施例２）
図９に示す局所空気清浄化装置１を用い、図１０に示す高さの異なる３つの測定点Ｂについて清浄度を測定した。本実施例では、発じん位置から大気塵を発生させ、その下流側に設けられた誘導気流発生装置４の上部から気流を吸引するとともに清浄空間外に排出した。また、発じん位置から２．６×１０７個／ｍ３（ＩＳＯクラス８以下）の大気塵を発生させ、測定点Ｂにおける粒子径０．３μｍの粉塵数（個／ｍ３）を測定した。なお、テーブル５の端部と測定点Ｂとの距離は２．６ｍ、清浄化された一様空気流の流速は０．３ｍ／ｓとした。また、参考のため、発じん位置から下流側の測定点Ａについても同様に、清浄度を測定した。結果を表２に示す。
【００５９】
（実施例３）
図１１に示す局所空気清浄化装置１を用いた以外は実施例２と同様に、測定点Ａ、高さの異なる３つの測定点Ｂについて清浄度を測定した。なお、図１２に実施例２の誘導気流発生装置４の構造を示すように、実施例３の局所空気清浄化装置１には２つの誘導気流発生装置４が設けられている点が実施例２の局所空気清浄化装置１と異なっている。実施例３の清浄度の測定結果を表１に示す。
【００６０】
【表２】
2014098519.tif 000004
【００６１】
表２に示すように、局所空気清浄化装置１に誘導気流発生装置４（誘導気流発生装置４ａ、４ｂ）を設けることにより、発じん位置の下流側の清浄度を高く保ちたい空間内が汚染されることが防止できることを確認した。なお、実施例２では、測定点ＢのＨ＝４００ｍｍの位置で時々、３．０×１０３（ＩＳＯクラス５）程度の粒子数が測定された。これは、実施例３では、２段に誘導気流装置４ａ、４ｂが設けられているので、４００ｍｍよりも低い位置に粉塵が誘導されたためと考えられる。ただし、実施例２であっても、発じん位置と同じ高さの床から９００ｍｍの位置では、粉塵がカウントされない結果となり、発じん位置の下流側の清浄度を高く保ちたい空間内が汚染されることが防止できる。
【００６２】
（実施例４、比較例１）
清浄度の測定を粒子径０．１μｍの粉塵数（個／ｍ３）とした以外は実施例１と同様に各測定点における清浄度を測定した。また、比較のため、誘導気流発生装置４を停止した場合についても同様に各測定点における清浄度を測定した。なお、発じん位置における粒子径０．１μｍの粉塵数（個／ｍ３）は１．５×１０８個／ｍ３であった。実施例４の測定結果を表３に示し、比較例１の測定結果を表４に示す。
【００６３】
【表３】
2014098519.tif 000005
【００６４】
【表４】
2014098519.tif 000006
【００６５】
表３及び表４に示すように、局所空気清浄化装置１に誘導気流発生装置４を設けることにより、発じん位置の下流側の清浄度を高く保ちたい空間内が汚染されることが防止できることを確認した。なお、床から４００ｍｍの位置では粉塵数が増えた箇所があったが、発じん位置と同じ高さの床から９００ｍｍの位置では粉塵数が減少しており、発じん位置の下流側の清浄度を高く保ちたい空間内が汚染されることが防止できることを確認した。また、表１及び表３に示すように、清浄度の測定における粒子径を変えても、同様の結果を示すことを確認した。
【産業上の利用可能性】
【００６６】
本発明は局所的な作業空間の空気洗浄に有用である。
【符号の説明】
【００６７】
１  局所空気清浄化装置
２、２ａ  プッシュフード
３  ガイド
２１  ハウジング
２２  空気流吸込面
２３  空気吹出面（空気流開口面）
２４  送風機構
２５  高性能フィルタ
２６  整流機構
２７  プレフィルタ
３１  開口面
４（４ａ、４ｂ）  誘導気流発生装置
４１  導入部
４２  排出部
４３  フレーム
４４  ファン
４５  導風板
４６  陰圧エリア
５  テーブル
６  装置
Ｗ  空気衝突面
【図２】
2014098519.tif 000007
【図３】
2014098519.tif 000008
【図５】
2014098519.tif 000009
【図８】
2014098519.tif 000010
【図１０】
2014098519.tif 000011
【図１２】
2014098519.tif 000012
【図１】
2014098519.tif 000013
【図４】
2014098519.tif 000014
【図６】
2014098519.tif 000015
【図７】
2014098519.tif 000016
【図９】
2014098519.tif 000017
【図１１】
2014098519.tif 000018